(57)【要約】【課題】  利用者がデバイスの前に存在することを保証することができる認証システムを提供する。【解決手段】  使用者が印刷装置に備えられたボタン等を押すと（Ｓ１０１）、印刷装置は認証用情報を作成し（Ｓ１０３）、操作パネルに表示する（Ｓ１０５）。認証用情報は、認証サーバのアドレス情報と、使用許可情報とを含む。使用者は、表示された情報を携帯電話のカメラで撮影し（Ｓ１０７）、認証サーバのアドレス情報を取得し、認証サーバに対してデータを送信する（Ｓ１０９）。認証サーバは、データを送信した携帯電話が登録済みであることを確認すると（Ｓ１１１）、印刷装置に対して使用許可情報を送信する。使用許可情報が送られてくると、印刷装置は、それが有効期限内であるかを確認し（Ｓ１１５）、ＹＥＳであれば使用者にデバイスの使用を認める【選択図】        図５
2006031368.tif 000002
【特許請求の範囲】
【請求項１】
携帯端末と、使用者の使用対象の機器と、認証装置とからなる認証システムであって、
前記使用対象の機器は、
前記使用者が前記使用対象の機器を使用するときに認証情報を生成する生成手段を備え、
前記携帯端末は、
前記生成された認証情報を前記使用対象の機器から取得する取得手段と、
前記取得手段の取得結果に基づいて、前記認証装置に前記取得結果に基づく情報を送信する情報送信手段とを備え、
前記認証装置は、
前記情報送信手段を用いて送信を行なった携帯端末が登録されたものであるか否かを判断する判断手段と、
前記判断手段の判断結果に基づいて、前記使用対象の機器に使用許可を送信する使用許可送信手段とを備え、
前記使用対象の機器は、
前記使用許可が送信されてきたときに、前記認証情報が生成されてからの時間、または前記認証情報が前記携帯端末で取得されてからの時間に基づいて、前記使用者による前記使用対象の機器の使用を許可する許可手段をさらに備えた、認証システム。
【請求項２】
携帯端末と、使用者の使用対象の機器と、認証装置とからなる認証システムであって、
前記使用対象の機器は、
ジョブの登録を受付ける受付手段と、
前記ジョブの情報を含む認証情報を生成する生成手段とを備え、
前記携帯端末は、
前記生成された認証情報を前記使用対象の機器から取得する取得手段と、
前記取得手段の取得結果に基づいて、前記認証装置に前記取得結果に基づく情報を送信する情報送信手段とを備え、
前記認証装置は、
前記情報送信手段を用いて送信を行なった携帯端末が登録されたものであるか否かを判断する判断手段と、
前記判断手段の判断結果に基づいて、前記使用対象の機器に前記ジョブの実行許可を送信する実行許可送信手段とを備え、
前記使用対象の機器は、
前記実行許可が送信されてきたときに、前記ジョブを実行する実行手段をさらに備えた、認証システム。
【請求項３】
前記使用対象の機器は、前記生成手段で生成された認証情報を表示する表示手段をさらに備え、
前記携帯端末は、カメラをさらに備え、
前記取得手段は、前記カメラを用いて前記表示手段に表示された認証情報を取得する、請求項１または２に記載の認証システム。
【請求項４】
前記認証情報は、前記認証装置のアドレス情報を含み、
前記携帯端末の情報送信手段は、前記認証情報に含まれるアドレス情報に基づいて、前記認証装置に前記取得結果に基づく情報を送信する、請求項１〜３のいずれかに記載の認証システム。
【請求項５】
前記携帯端末の情報送信手段は、前記取得手段で取得された認証情報の少なくとも一部を前記認証装置に送信し、
前記認証装置の使用許可送信手段は、前記判断結果に基づいて、前記携帯端末の情報送信手段が送信した情報の少なくとも一部を前記使用対象の機器に送信し、
前記使用対象の機器の許可手段は、前記認証装置の使用許可送信手段が送信した情報が有効期限内であるかを判断することで、前記使用対象の機器の使用を許可する、請求項１〜４のいずれかに記載の認証システム。
【請求項６】
前記使用対象の機器で実行すべきジョブを記憶する記憶手段をさらに備え、
前記認証装置の使用許可送信手段は、使用許可として、前記使用対象の機器に前記ジョブを送信する、請求項１〜５のいずれかに記載の認証システム。
【請求項７】
前記認証情報は、前記使用対象の機器で実行されるジョブの情報を含み、
前記携帯端末の情報送信手段は、前記ジョブの情報を前記認証装置に送信し、
前記認証装置の使用許可送信手段は、前記ジョブの情報を考慮して、前記使用対象の機器に使用許可を送信する、請求項１〜６のいずれかに記載の認証システム。
【請求項８】
携帯端末と、認証装置とを含む画像形成システムに用いられる画像形成装置であって、
認証情報を生成する生成手段と、
前記認証情報を前記携帯端末に伝送する伝送手段と、
前記認証情報の伝送に基づいて、前記携帯端末が前記認証装置に認証依頼を行ない、その結果として前記認証装置が送信した使用許可を受信する受信手段と、
前記使用許可が受信されたときに、前記認証情報が生成されてからの時間、または前記認証情報が前記携帯端末で取得されてからの時間に基づいて、装置の使用を許可する許可手段とを備えた、画像形成装置。
【請求項９】
携帯端末と、認証装置とを含む画像形成システムに用いられる画像形成装置であって、
ジョブの登録を受付ける受付手段と、
前記ジョブの情報を含む認証情報を生成する生成手段と、
前記認証情報を前記携帯端末に伝送する伝送手段と、
前記認証情報の伝送に基づいて、前記携帯端末が前記認証装置に認証依頼を行ない、その結果として前記認証装置が送信した前記ジョブの実行許可を受信する受信手段と、
前記実行許可が受信されたときに、前記ジョブを実行する実行手段とを備えた、画像形成装置。
【請求項１０】
携帯端末と、使用者の使用対象の機器と、認証装置とからなる認証システムで用いられる認証方法であって、
認証情報を生成する生成ステップと、
前記使用者の使用対象の機器から前記認証情報を前記携帯端末に伝送する伝送ステップと、
前記認証情報の伝送に基づいて、前記携帯端末が前記認証装置に認証依頼を行ない、その結果として前記認証装置が送信した使用許可を前記使用者の使用対象の機器で受信する受信ステップと、
前記使用者の使用対象の機器で前記使用許可が受信されたときに、前記認証情報が生成されてからの時間、または前記認証情報が前記携帯端末で取得されてからの時間に基づいて、前記使用者の使用対象の機器の使用を許可する許可ステップとを備えた、認証方法。
【請求項１１】
携帯端末と、使用者の使用対象の機器と、認証装置とからなる認証システムで用いられる認証方法であって、
ジョブの登録を受付ける受付ステップと、
前記ジョブの情報を含む認証情報を生成する生成ステップと、
前記使用者の使用対象の機器から前記認証情報を前記携帯端末に伝送する伝送ステップと、
前記認証情報の伝送に基づいて、前記携帯端末が前記認証装置に認証依頼を行ない、その結果として前記認証装置が送信した前記ジョブの実行許可を前記使用者の使用対象の機器で受信する受信ステップと、
前記使用者の使用対象の機器で前記実行許可が受信されたときに、前記ジョブを実行する実行ステップとを備えた、認証方法。
【発明の詳細な説明】
【技術分野】
【０００１】
この発明は認証システム、画像形成装置、および認証方法に関し、特に使用者が使用対象の機器の前に存在することを保証することができる認証システム、画像形成装置、および認証方法に関する。
【背景技術】
【０００２】
ネットワーク機器のユーザ認証を行なう場合、成りすましや、ハッキングによる遠隔操作を避ける必要がある。セキュリティ対策として、従来は機器固有のユーザ名およびパスワードの入力や、ＵＳＢキーなどの装置で認証が行なわれる場合が多かった。
【０００３】
最近は、ＥｍａｉｌやＷｅｂブラウザ機能を持つ携帯電話を利用した認証システムも提案されている。
【０００４】
下記の特許文献１は、印刷物に印字された付加情報（Email−Addressなど）を携帯電話のデジカメで撮影し、その情報をもとに通信を行なう技術を開示している。
【０００５】
特許文献２は、プリントジョブのキーコードを携帯電話に送付し、携帯電話からキーコードを用いて印刷指示をする技術を開示している。
【特許文献１】特開２００３−１１０８２７号公報
【特許文献２】特開２００２−３６１９８４号公報
【発明の開示】
【発明が解決しようとする課題】
【０００６】
ユーザ名およびパスワードの入力により認証を行なう場合には、ユーザの入力ミスや、パスワードを忘れる危険性があった。また、ＵＳＢキーを使用する場合には、ＵＳＢキーをユーザが常時持ち歩かなければならないなど不便な部分が多いという問題があった。
【０００７】
また、普段から持ち歩くことが多くなった携帯電話を利用して認証を行なう方法を採用するとしても、以下のような問題がある。すなわち、たとえば印刷装置でユーザ認証を行なう場合において、機密文書の印刷を行なうときには、操作者（認証者）が印刷装置の前に確実にいることを保証する必要があるが、従来の技術ではそのような保証ができなかった。
【０００８】
すなわち従来技術においては、携帯電話は主に印刷データの送信や、認証のためのみに使われることが多く、本人がデバイスの前に存在することを保証するものではない。これにより、成りすましや遠隔操作を避けることが出来ないという問題があった。
【０００９】
この発明は上記問題点を解決するためになされたものであり、利用者が使用対象の機器の前に存在することを保証することができる認証システム、画像形成装置、および認証方法を提供することを目的としている。
【課題を解決するための手段】
【００１０】
上記目的を達成するため、この発明のある局面に従うと、携帯端末と、使用者の使用対象の機器と、認証装置とからなる認証システムにおいて、使用対象の機器は、使用者が使用対象の機器を使用するときに認証情報を生成する生成手段を備え、携帯端末は、生成された認証情報を使用対象の機器から取得する取得手段と、取得手段の取得結果に基づいて、認証装置に取得結果に基づく情報を送信する情報送信手段とを備え、認証装置は、情報送信手段を用いて送信を行なった携帯端末が登録されたものであるか否かを判断する判断手段と、判断手段の判断結果に基づいて、使用対象の機器に使用許可を送信する使用許可送信手段とを備え、使用対象の機器は、使用許可が送信されてきたときに、認証情報が生成されてからの時間、または認証情報が携帯端末で取得されてからの時間に基づいて、使用者による使用対象の機器の使用を許可する許可手段をさらに備える。
【００１１】
この発明の他の局面に従うと、携帯端末と、使用者の使用対象の機器と、認証装置とからなる認証システムにおいて、使用対象の機器は、ジョブの登録を受付ける受付手段と、ジョブの情報を含む認証情報を生成する生成手段とを備え、携帯端末は、生成された認証情報を使用対象の機器から取得する取得手段と、取得手段の取得結果に基づいて、認証装置に取得結果に基づく情報を送信する情報送信手段とを備え、認証装置は、情報送信手段を用いて送信を行なった携帯端末が登録されたものであるか否かを判断する判断手段と、判断手段の判断結果に基づいて、使用対象の機器にジョブの実行許可を送信する実行許可送信手段とを備え、使用対象の機器は、実行許可が送信されてきたときに、ジョブを実行する実行手段をさらに備える。
【００１２】
好ましくは、使用対象の機器は、生成手段で生成された認証情報を表示する表示手段をさらに備え、携帯端末は、カメラをさらに備え、取得手段は、カメラを用いて表示手段に表示された認証情報を取得する。
【００１３】
好ましくは、認証情報は、認証装置のアドレス情報を含み、携帯端末の情報送信手段は、認証情報に含まれるアドレス情報に基づいて、認証装置に取得結果に基づく情報を送信する。
【００１４】
好ましくは、携帯端末の情報送信手段は、取得手段で取得された認証情報の少なくとも一部を認証装置に送信し、認証装置の使用許可送信手段は、判断結果に基づいて、携帯端末の情報送信手段が送信した情報の少なくとも一部を使用対象の機器に送信し、使用対象の機器の許可手段は、認証装置の使用許可送信手段が送信した情報が有効期限内であるかを判断することで、使用対象の機器の使用を許可する。
【００１５】
好ましくは認証システムは、使用対象の機器で実行すべきジョブを記憶する記憶手段をさらに備え、認証装置の使用許可送信手段は、使用許可として、使用対象の機器にジョブを送信する。
【００１６】
好ましくは、認証情報は、使用対象の機器で実行されるジョブの情報を含み、携帯端末の情報送信手段は、ジョブの情報を認証装置に送信し、認証装置の使用許可送信手段は、ジョブの情報を考慮して、使用対象の機器に使用許可を送信する。
【００１７】
この発明のさらに他の局面に従うと、携帯端末と、認証装置とを含む画像形成システムに用いられる画像形成装置は、認証情報を生成する生成手段と、認証情報を携帯端末に伝送する伝送手段と、認証情報の伝送に基づいて、携帯端末が認証装置に認証依頼を行ない、その結果として認証装置が送信した使用許可を受信する受信手段と、使用許可が受信されたときに、認証情報が生成されてからの時間、または認証情報が携帯端末で取得されてからの時間に基づいて、装置の使用を許可する許可手段とを備える。
【００１８】
この発明のさらに他の局面に従うと、携帯端末と、認証装置とを含む画像形成システムに用いられる画像形成装置は、ジョブの登録を受付ける受付手段と、ジョブの情報を含む認証情報を生成する生成手段と、認証情報を携帯端末に伝送する伝送手段と、認証情報の伝送に基づいて、携帯端末が認証装置に認証依頼を行ない、その結果として認証装置が送信したジョブの実行許可を受信する受信手段と、実行許可が受信されたときに、ジョブを実行する実行手段とを備える。
【００１９】
この発明のさらに他の局面に従うと、携帯端末と、使用者の使用対象の機器と、認証装置とからなる認証システムで用いられる認証方法は、認証情報を生成する生成ステップと、使用者の使用対象の機器から認証情報を携帯端末に伝送する伝送ステップと、認証情報の伝送に基づいて、携帯端末が認証装置に認証依頼を行ない、その結果として認証装置が送信した使用許可を使用者の使用対象の機器で受信する受信ステップと、使用者の使用対象の機器で使用許可が受信されたときに、認証情報が生成されてからの時間、または認証情報が携帯端末で取得されてからの時間に基づいて、使用者の使用対象の機器の使用を許可する許可ステップとを備える。
【００２０】
この発明のさらに他の局面に従うと、携帯端末と、使用者の使用対象の機器と、認証装置とからなる認証システムで用いられる認証方法は、ジョブの登録を受付ける受付ステップと、ジョブの情報を含む認証情報を生成する生成ステップと、使用者の使用対象の機器から認証情報を携帯端末に伝送する伝送ステップと、認証情報の伝送に基づいて、携帯端末が認証装置に認証依頼を行ない、その結果として認証装置が送信したジョブの実行許可を使用者の使用対象の機器で受信する受信ステップと、使用者の使用対象の機器で実行許可が受信されたときに、ジョブを実行する実行ステップとを備える。
【発明の効果】
【００２１】
この発明に従うと、使用者の使用対象の機器で認証情報が生成され、その認証情報が携帯端末で取得される。取得結果に基づいて認証装置で認証が行なわれ、その結果に基づき使用対象の機器で使用の許可が行なわれる。これにより、利用者が使用対象の機器の前に存在することを保証することができる認証システム、画像形成装置、および認証方法を提供することができる。
【発明を実施するための最良の形態】
【００２２】
［第１の実施の形態］
以下、本発明の第１の実施の形態における印刷システムについて説明する。
【００２３】
図１は、第１の実施の形態における印刷システムの概略構成を示す図である。
【００２４】
図を参照して、印刷システムは、印刷システムのユーザ認証を行なう認証サーバ３００と、操作パネルに認証情報（２次元バーコードなど）を表示することが可能なＭＦＰ（Multi Function Peripherals）などの印刷装置１００（画像形成装置の一例）と、印刷装置１００の操作パネルに表示された認証情報を撮影し、認証サーバ３００にアクセスする携帯電話（または携帯端末）２００と、認証サーバ３００に印刷ジョブ（印刷データ）を送信するクライアントＰＣ４００とから構成される。
【００２５】
印刷装置１００の操作パネルに表示される認証情報には、認証サーバ３００に関する情報も含まれる。携帯電話２００は、この情報を用いて認証サーバ３００にアクセスする。認証サーバ３００は、アクセスがあった携帯電話２００の端末情報などを用いて認証を行なう。認証の結果に基づき、認証サーバ３００は、印刷装置１００に対して使用許可を出力したり、ジョブの送信を行ったりする。
【００２６】
なお、印刷装置の操作パネルに表示される認証情報は、使用者がデバイス（ここでは印刷装置）の前に存在することを保証する情報（現在時刻を元にして乱数で発生させたコードなど）を含む。
【００２７】
以上の構成により、本実施の形態においては、印刷装置に表示される情報を携帯電話で取得してそれを利用して認証を行なうシステムを構築することができる。
【００２８】
図２は、図１の印刷装置１００の構成を示すブロック図である。
【００２９】
図を参照して、印刷装置１００は、装置全体を制御する制御部１０６と、原稿から画像データを読取るイメージリーダ部１０１と、用紙上に画像を印刷するプリンタ部１０２と、近距離の無線通信を行なったり、印刷装置をネットワークや電話回線に接続するための通信部１０３と、ジョブデータなどを記憶するための記憶部１０４と、ユーザとのインターフェースである操作パネル１０５と、消耗品の残量などを検出するセンサ部１０７とを含む。
【００３０】
図３は、図１の携帯電話２００の構成を示すブロック図である。
【００３１】
図を参照して、携帯電話２００は、装置全体を制御する中央制御部２０１と、画像データや電話番号データなどを記憶するメモリ２０３と、各種情報の表示を行なう表示部２０５と、音声を出力するスピーカ２０７と、画像の撮影を行なうＣＣＤカメラ２０９と、音声を入力するマイク２１１と、テンキーや画像撮影ボタンやモード選択ボタンなどから構成される入力部２１３と、無線通信を行なうための通信部２１５とを備えている。
【００３２】
図４は、図１のクライアントＰＣ４００または認証サーバ３００の構成を示すブロック図である。
【００３３】
図を参照して、クライアントＰＣ４００または認証サーバ３００は、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００３４】
フレキシブルディスクドライブ６１１により、フレキシブルディスクＦに記録されたプログラムなどのデータを読取ることが可能であり、ＣＤ−ＲＯＭドライブ６１３により、ＣＤ−ＲＯＭ６１３ａに記録されたプログラムなどのデータを読取ることが可能である。
【００３５】
図５は、図１の印刷システムの動作を示すフローチャートである。
【００３６】
図を参照して、認証サーバ３００には、予め携帯電話のユーザを特定するための端末情報を登録しておく（Ｓ２０１）。
【００３７】
また、クライアントＰＣ４００で印刷データを含む印刷ジョブが作成される場合には（Ｓ３０１）、クライアントＰＣ４００から認証サーバ３００へ印刷ジョブが送信され（Ｓ３０３）、認証サーバ３００において保存される（Ｓ３０５）。
【００３８】
ステップＳ１０１において、印刷装置１００を使用者が使用する際に、使用者は印刷装置１００に備えられたボタンなどを押す（使用許可依頼を行なう）。これにより、印刷装置１００は認証情報を作成し（Ｓ１０３）、操作パネルに表示する（Ｓ１０５）。
【００３９】
ここで認証情報は、少なくとも以下のａおよびｂの情報を含むものとする。
【００４０】
ａ：認証サーバ３００のアドレス情報
ｂ：使用許可情報（本人がデバイスの前に存在することを確認するための情報）
上記情報ｂは、印刷装置を使用する際にボタンが押された時刻や、その際に発生した乱数などの情報である。この情報を、ボタンが押されてから一定時間のみ、そのデバイスの使用許可を与えるための情報とする。 
【００４１】
認証情報は、２次元バーコードなどのデバイスが自動的に識別可能かつ、使用者が一目で意味を判別できないフォーマットを有する情報とすることが望ましい。但し、数字やアルファベットの羅列などでもよい。
【００４２】
使用者は、表示された認証情報を携帯電話２００のデジタルカメラ２０９で撮影し（Ｓ１０７）、認証情報から認証サーバのアドレス情報aを取得し、認証サーバ３００に対してＥ−ｍａｉｌまたはＷｅｂブラウザでデータを送信する（Ｓ１０９）。ここで送信されるデータは、少なくとも上記使用許可情報ｂ、およびその携帯電話（または使用者）を特定するための情報（電話番号または端末情報など）である。
【００４３】
認証サーバ３００は、データを送信した携帯電話２００がステップＳ２０１で登録されたものであることを確認すると（Ｓ１１１）、必要であれば当該携帯電話に対応させて課金処理を行ない（Ｓ１１３）、印刷装置１００に対して、使用許可情報ｂを送信する（また、モードに応じて、使用許可情報ｂとともにステップＳ３０５で保存された印刷ジョブを送信する）。
【００４４】
使用許可情報ｂを受け取った印刷装置１００は、その使用許可情報ｂを含む認証情報を表示してから一定期間（有効期限）内であるかを確認し（Ｓ１１５）、ＹＥＳであれば（たとえば有効期限が切れるまで）使用者にデバイスの使用を認める（Ｓ１１７）。また、モードに応じてクライアントＰＣで作成した印刷ジョブを実行する。
【００４５】
なお、クライアントＰＣ４００から認証サーバ３００に対して印刷ジョブを送付し、それを呼びだして印刷装置１００で印刷する場合、使用者は、携帯電話２００を用いて認証情報とともに、当該印刷ジョブを特定する情報を認証サーバ３００に送信するものとする。
【００４６】
なお、ステップＳ１１５で有効期限内であるか否かを判定する時には、認証情報を表示してからの時間を調べるようにしても良いし、認証情報が携帯電話で取得されてからの時間を調べるようにしても良い。
【００４７】
以上のようにして、本発明の実施の形態によると、携帯電話において印刷装置が作成および表示した認証情報が撮影され、それが認証サーバに送られる。ここで認証サーバは携帯電話の使用者がシステムを使用可能であるかを判断し、ＹＥＳであれば、許可情報を印刷装置に対して送信する。印刷装置は、認証サーバから許可情報が送られてくると、それが有効期限内であるかが判定する。有効期限内であった時のみ印刷が許可される。
【００４８】
このような処理により、携帯電話の使用者（システムの使用者）が適切な者であるかという判断と、その使用者が印刷装置の前にいるという判断を行なうことができる。また、認証サーバ３００は携帯電話２００の端末情報を元に認証を行なっているので、課金処理を容易に行なうことができるという効果がある。
【００４９】
図６は、印刷装置１００の操作パネル１０５に認証情報が表示された状態を示す図である。
【００５０】
図を参照して、ここでは認証情報として操作パネル１０５に２次元バーコード１０５ａを表示させることとしている。
【００５１】
［第２の実施の形態］
第２の実施の形態における印刷システムのハードウェア構成は、第１の実施の形態のそれと同じであるため、ここでの説明を繰返さない。
【００５２】
図７は、第２の実施の形態における印刷システムの処理を示すフローチャートである。
【００５３】
図を参照して、ステップＳ５０１で予め携帯電話２００は、認証サーバ３００にシステム使用者の情報として端末情報を送信する。ステップＳ５０３で認証サーバ３００は、端末情報を保存し、使用者登録とする。
【００５４】
ステップＳ４０１で使用者は印刷装置１００の場所へ赴き、操作パネル１０５を介してジョブを登録する。ここでのジョブ登録とは、具体的には印刷枚数の設定、用紙サイズの設定、印刷モードの設定などを示す。
【００５５】
ステップＳ４０３で、使用者は操作パネルのキーを押下することで、印刷装置の使用許可を依頼する（なお、ジョブ登録が行なわれると、自動的に使用許可の依頼が行なわれるようにしてもよい）。ステップＳ４０５で、印刷装置は、ａ：認証サーバのアドレス、ｂ：デバイス使用情報、およびｃ：ジョブ情報（印刷枚数など）を含む認証情報を作成する。ここに、ｂ：デバイス使用情報とは、ジョブが登録された印刷装置を特定するための情報である。
【００５６】
ステップＳ４０７で、印刷装置は図６に示すように、操作パネルに作成された認証情報を表示する。
【００５７】
ステップＳ４０９で使用者は、携帯電話２００を用いて操作パネルに表示された認証情報を撮影する。ステップＳ４１１で携帯電話２００は、撮影により得られた認証サーバのアドレス（ａ）に対して、デバイス使用情報（ｂ）、およびジョブ情報（ｃ）を送信する。また、このとき端末情報を共に送信する。
【００５８】
ステップＳ４１３で、認証サーバ３００は、デバイス使用情報（ｂ）を発行した印刷装置において、ジョブ情報（ｃ）で示したジョブの実行を携帯電話２００の使用者に対して許可しても良いかを、ステップＳ５０３で保存された情報と送信されてきた端末情報とを比較することにより判断する。
【００５９】
なお、このときデバイス使用情報とジョブ情報とを考慮して許可を行なってもよい。例えば、使用者ごとに実行できるジョブを制限する情報を認証サーバで保持し、ジョブがそれを登録した使用者の実行可能なものであるかを判断し、その判断結果に基づき許可を行なうなどである。
【００６０】
許可して良いのであれば、認証サーバ３００から印刷装置１００に対して使用許可が送信され（Ｓ４１５）、ジョブが実行される（Ｓ４１７）。また、同時に認証サーバ３００は、課金および使用の管理のため、携帯電話２００の使用者がジョブを実行したという情報およびジョブの内容を保存する（Ｓ４１９）。これにより、ジョブの内容に応じた課金が行なわれる。
【００６１】
なお、第１の実施の形態と同様に、デバイス使用情報に乱数やボタンを押下した時間などを含む、印刷装置を一定時間に限って使用可能とする情報を含ませ、ステップＳ４１５でその情報が有効期限内かを判断し、有効期限内である場合のみジョブの実行を許可するようにしても良い。
【００６２】
［その他］
なお、上述の実施の形態においては、印刷システムを例に挙げ説明を行なったが、使用者がデバイスの前にいることをデバイスの動作の条件とすべき他のシステム（例えば情報の表示システム、情報の提供システム）などにも本発明を適用することが可能である。
【００６３】
また、上述の実施の形態では、使用者がデバイスの前にいることを保証するために、デバイスに表示された情報を撮影により携帯端末で得るようにしたが、これに代えて、近距離通信（赤外線、電波など）を用いてデバイスから携帯端末に情報を送るようにしてもよい。
【００６４】
また、第１の実施の形態では、使用者にデバイスの使用を許可する制限時間（認証情報の有効期限）を設定することとしたが、これに代えて、デバイスの使用を許可する量（例えばプリント枚数など）を設定するようにしてもよい。例えば、認証ＯＫである使用者に対し、定められた枚数の印刷のみを許可するなどである。
【００６５】
また、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して装置にダウンロードするようにしてもよい。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】第１の実施の形態における印刷システムの概略構成を示す図である。
【図２】図１の印刷装置１００の構成を示すブロック図である。
【図３】図１の携帯電話２００の構成を示すブロック図である。
【図４】図１のクライアントＰＣ４００または認証サーバ３００の構成を示すブロック図である。
【図５】図１の印刷システムの動作を示すフローチャートである。
【図６】印刷装置１００の操作パネル１０５に認証情報が表示された状態を示す図である。
【図７】第２の実施の形態における印刷システムの処理を示すフローチャートである。
【符号の説明】
【００６８】
１００  印刷装置、１０１  イメージリーダ部、１０２  プリンタ部、１０３  通信部、１０４  記憶部、１０５  操作パネル、１０５ａ  認証情報、１０６  制御部、２００  携帯電話、２０１  中央制御部、２０３  メモリ、２０５  表示部、２０７  スピーカ、２０９  カメラ、２１１  マイク、２１３  入力部、２１５  通信部、３００  認証サーバ、６０７  ＬＡＮカード、６０９  入力装置、６１１  フレキシブルディスクドライブ、６１３  ＣＤ−ＲＯＭドライブ、６１５  ハードディスクドライブ。
【図１】
2006031368.tif 000003
【図２】
2006031368.tif 000004
【図３】
2006031368.tif 000005
【図４】
2006031368.tif 000006
【図５】
2006031368.tif 000007
【図６】
2006031368.tif 000008
【図７】
2006031368.tif 000009